(57)【要約】【課題】  フィンの表面上に発生した結露水をフィンの表面上を鉛直方向下方に円滑に案内できて、人が怪我をすることがない熱交換器を提供すること。【解決手段】  フィン６に伝熱管挿通用の挿通穴２２を複数形成すると共に、フィン６にフィン６の外縁２５に略平行に延びるリブ１５を形成する。上記リブ１５を、全ての挿通穴２２よりも外縁２５側に配置する。上記挿通穴２２の内径をＤ［ｍｍ］とし、リブ１５に最も近い挿通穴２２の中心と外縁２５との距離をＬ［ｍｍ］とし、リブ１５の中心と外縁２５との距離をＬａ［ｍｍ］とし、リブ１５の幅をＬＬ［ｍｍ］とし、フィン６の板厚をｔ［ｍｍ］とし、リブ１５の高さをｈ［ｍｍ］としたとき、フィン６に、０.４＜Ｌａ＜（Ｌ−Ｄ／２−０.５）、０.１５＜ＬＬ＜０.５、０.０５＜ｔ＜０.１５、０.５ｔ＜ｈ＜２.５ｔを満たすリブ１５を形成する。【選択図】  図２
2006153327.tif 000002
【特許請求の範囲】
【請求項１】
複数の伝熱管と、
外縁（２５）に略平行なリブ（１５）を有すると共に、上記複数の伝熱管を挿通する挿通穴（２２）を有する板状のフィン（６）と
を備え、
上記リブ（１５）は、全ての上記挿通穴（２２）よりも上記外縁（２５）側に配置され、
上記挿通穴（２２）の内径をＤ［ｍｍ］とし、上記リブ（１５）に最も近い上記挿通穴（２２）の中心と、上記外縁（２５）との距離をＬ［ｍｍ］とし、上記リブ（１５）の中心と、上記外縁（２５）との距離をＬａ［ｍｍ］としたとき、
０.４＜Ｌａ＜（Ｌ−Ｄ／２−０.５）
であることを特徴とする熱交換器。
【請求項２】
請求項１に記載の熱交換器において、
上記リブ（１５）の幅をＬＬ［ｍｍ］とし、上記フィン（６）の板厚をｔ［ｍｍ］とし、上記リブ（１５）の高さをｈ［ｍｍ］としたとき、
０.１５＜ＬＬ＜０.５、
０.０５＜ｔ＜０.１５、
および、０.５ｔ＜ｈ＜２.５ｔであることを特徴とする熱交換器。
【請求項３】
請求項１または２に記載の熱交換器において、
上記フィン（６）が、使用状態の冷凍装置に配置されている状態で、上記外縁（２５）は、鉛直方向に対して傾斜していることを特徴とする熱交換器。
【請求項４】
請求項３に記載の熱交換器において、
空気調和機の室内機に組み込まれていることを特徴とする熱交換器。
【請求項５】
請求項３に記載の熱交換器において、
上記挿通穴（２２）の上記内径Ｄが、７.５ｍｍ以下であることを特徴とする熱交換器。
【請求項６】
請求項３乃至５のいずれか１つに記載の熱交換器において、
上記フィンには、切り起こしが設けられていることを特徴とする熱交換器。
【発明の詳細な説明】
【技術分野】
【０００１】
本発明は、熱交換器に関し、特に空気調和機等の冷凍装置に使用されれば好適な熱交換器に関する。
【背景技術】
【０００２】
従来、熱交換器としては、特開２０００−３５２９６号公報に記載されているものがある。
【０００３】
この熱交換器は、所定間隔を空けて積み重ねられた複数のフィンと、複数の伝熱管とを備えている。
【０００４】
上記複数の伝熱管は、所定間隔をあけて上記複数のフィンに挿通されている。
【０００５】
上記フィンの幅方向の両端部には、フィンの長手方向の外縁に沿った方向に延びる溝が形成されている。上記溝は、フィンの表面に生じた結露水の水滴を、上方から下方まで案内するようになっている。
【０００６】
上記従来の熱交換器は、フィンの表面に発生する結露水の水滴を、上記溝によって上方から下方まで案内することによって、フィンの表面に発生する結露水が風と共に外部に飛散することを防止している。
【０００７】
しかしながら、上記従来の熱交換器では、溝の形成位置が、フィンの外縁に近づきすぎたり、フィンに形成された伝熱管挿通用の挿通穴に近づきすぎたりした場合、フィンにおける溝を形成した縁部が変形したり、溝そのものが変形するという問題がある。そして、上記溝の変形により、溝に結露水溜まりができて、結露水が鉛直方向下方に流れにくくなるという問題がある。また、フィンにおける溝を形成した縁部が変形して波打った形状になり、人がこの波打ったフィンの外縁で怪我をするという問題がある。
【特許文献１】特開２０００−３５２９６号公報
【発明の開示】
【発明が解決しようとする課題】
【０００８】
そこで、本発明の課題は、フィンの表面上に発生した結露水を外部に飛散させないように円滑に下方に案内できて、かつ、フィンが反ったり波打ったりすることがなくて、人が怪我をすることがない熱交換器を提供することにある。
【課題を解決するための手段】
【０００９】
上記課題を解決するため、この発明の熱交換器は、
複数の伝熱管と、
外縁に略平行なリブを有すると共に、上記複数の伝熱管を挿通する挿通穴を有する板状のフィンと
を備え、
上記リブは、全ての上記挿通穴よりも上記外縁側に配置され、
上記挿通穴の内径をＤ［ｍｍ］とし、上記リブ（１５）に最も近い上記挿通穴の中心と、上記外縁との距離をＬ［ｍｍ］とし、上記リブの中心と、上記外縁との距離をＬａ［ｍｍ］としたとき、
０.４＜Ｌａ＜（Ｌ−Ｄ／２−０.５）
であることを特徴としている。
【００１０】
尚、上記リブの中心とは、上記リブの幅方向における中心をいう。
【００１１】
本発明によれば、上記フィンに上記リブを形成しているので、上記リブが表面張力による導水路を形成する。したがって、結露水がフィンから飛散しにくい。
【００１２】
また、本発明によれば、０.４＜Ｌａであるので、リブが、フィンの上記外縁に近づきすぎることがなくて、フィンの縁部やリブに変形が起こることがない。また、Ｌａ＜（Ｌ−Ｄ／２−０.５）であるので、リブが、上記挿通穴に近づきすぎることがなくて、リブが変形することがない。
【００１３】
したがって、フィンに形成されたリブが変形することがないので、リブ上に結露水が流下しにくい部分が発生することを防止できて、フィンの表面に発生した結露水を、上記リブに沿って速やかに下方に流下させることができる。したがって、結露水の滞留によるフィンの熱交換の通風経路の減少に伴う通風抵抗の増大を防止できて、伝熱性能を向上できる。また、フィンの変形が少ないため、フィン倒れによる通風抵抗の増加と異音発生を防止することができる。
【００１４】
また、一実施形態の熱交換器は、上記リブの幅をＬＬ［ｍｍ］とし、上記フィンの板厚をｔ［ｍｍ］とし、上記リブの高さをｈ［ｍｍ］としたとき、０.１５＜ＬＬ＜０.５、０.０５＜ｔ＜０.１５、および、０.５ｔ＜ｈ＜２.５ｔである。
【００１５】
上記実施形態によれば、０.１５＜ＬＬであるので、リブの変形を更に確実に防止でき、また、ＬＬ＜０.５であるので、結露水を問題なく下方に流下させることができる。また、０.０５＜ｔであるので、フィンの強度を問題がないものにすることができ、また、ｔ＜０.１５であるので、フィンの集積性を大きくできて、熱交換効率を優れたものにすることができる。また、０.５ｔ＜ｈであるので、結露水を問題なく下方に流下させることができ、また、ｈ＜２.５ｔであるので、風がリブに衝突して乱流等を発生することを防止できて、風の流れを円滑にすることができる。
【００１６】
また、一実施形態の熱交換器は、上記フィンが、使用状態の冷凍装置に配置されている状態で、上記外縁は、鉛直方向に対して傾斜している。
【００１７】
上記冷凍装置とは、空気調和機や冷蔵庫や製氷機等をいう。
【００１８】
上記実施形態によれば、上記フィンが使用状態の冷凍装置に配置されている状態で、上記外縁が鉛直方向に対して傾斜しているので、フィンから飛び出し易い上記外縁付近に存在する結露水を、上記リブを通じて確実に下方に流下させることができる。したがって、結露水がフィンから飛び出すことを確実に防止できる。
【００１９】
また、一実施形態の熱交換器は、空気調和機の室内機に組み込まれている。
【００２０】
上記実施形態によれば、室内につゆ飛びが発生することを防止できる。
【００２１】
また、一実施形態の熱交換器は、上記挿通穴の上記内径Ｄが、７.５ｍｍ以下である。
【００２２】
上記内径Ｄが、７.５ｍｍ以下である場合、通風抵抗が小さいため大風量による水飛びが生じやすい運転状況におかれる。しかし、上記フィンには、上記形状および配置のリブが設けられているので、大風量による運転状況におかれたとしても、フィンからの水飛びを確実に防止できる。
【００２３】
また、一実施形態の熱交換器は、上記フィンには、切り起こしが設けられている。
【００２４】
上記実施形態によれば、上記フィンには、切り起こしが設けられているので、熱交換効率が高いという利点を有する一方、切り起こしの有る所と無い所で通風抵抗のバラツキが生じて、風速分布にむらが生じて、風速の速い所で水飛びが生じようとするが、上記形状および配置のリブによって確実に水飛びを防止できる。
【００２５】
また、一実施形態の熱交換器は、上記リブは、少なくとも上記フィンにおける上記伝熱管よりも伝熱媒体が流れる方向の風下側に形成されている。
【００２６】
上記実施形態によれば、上記リブが上記フィンの上記風下側に形成されているので、上記フィン上に発生した結露水が伝熱媒体にとばされて、フィンから飛散するのを確実に防止できる。
【００２７】
また、一実施形態の熱交換器は、上記リブは、少なくとも上記フィンにおける上記伝熱管よりも伝熱媒体が流れる方向の風上側に形成されている。
【００２８】
上記実施形態によれば、上記リブが上記フィンの上記風上側に形成されているので、上記フィンの風上側の部分に発生すると共に、表面張力によって粒状になっている結露水が、フィンの風上側の縁部から飛散することを防止できる。
【００２９】
また、一実施形態の熱交換器は、上記リブは、上記フィンにおける上記伝熱管よりも伝熱媒体が流れる方向の風上側、および、上記フィンにおける上記伝熱管よりも伝熱媒体が流れる方向の風下側に形成されている。
【００３０】
上記実施形態によれば、上記リブが上記フィンの風下側および上記フィンの風上側に形成されているので、結露水が上記フィンから飛散するのを確実に防止できる。
【発明の効果】
【００３１】
本発明の熱交換器によれば、フィンにリブを形成しているので、上記リブが表面張力による導水路を形成する。したがって、結露水が上記フィンの外に飛び出すのを防止できる。
【００３２】
また、本発明によれば、０.４＜Ｌａであるので、リブの中心が、伝熱管の挿通穴に近づきすぎることがなくて、フィンの縁部やリブに変形が起こることがない。また、Ｌａ＜（Ｌ−Ｄ／２−０.５）であるので、リブの中心が、フィンの伝熱管挿通位置に近づきすぎることがなくて、リブが変形することがない。
【００３３】
また、一実施形態の熱交換器によれば、０.１５＜ＬＬ＜０.５であるので、結露水を問題なく下方に流下させることができると共に、リブの変形を更に確実に防止できる。また、０.０５＜ｔ＜０.１５であるので、フィンの強度を問題がないものにすることができると共に、フィンの集積性を大きくできて、熱交換効率を優れたものにすることができる。また、０.５ｔ＜ｈ＜２.５ｔであるので、結露水を問題なく下方に流下させることができると共に、風の流れを円滑にすることができる。
【００３４】
また、一実施形態の熱交換器によれば、上記熱交換器が、使用状態の冷凍装置に配置されている状態で、上記外縁は、鉛直方向に対して傾斜しているので、フィンから飛び出し易い上記外縁付近に存在する結露水を、上記リブを通じて確実に下方に流下させることができて、結露水がフィンから飛び出すことを確実に防止できる。
【発明を実施するための最良の形態】
【００３５】
以下、本発明を図示の形態により詳細に説明する。
【００３６】
図１は、本発明の一実施形態の熱交換器を用いた空気調和機の概略断面図である。図１において、１は送風ファン、２は熱交換器である。また、図１において、矢印ａは、熱交換器が使用状態の空気調和機に配置されている状態における鉛直方向上方を示し、矢印ｂは、伝熱媒体としての風の流れの方向を示している。図１においては、簡単のため、送風ファン１や熱交換器２を収容しているケース等を省略している。
【００３７】
この空気調和機は、送風ファン１を回転させて、熱交換器２を介して吸い込んだ風を、図示しない吹き出し口から吹き出すようになっている。
【００３８】
上記熱交換器２は、フィン６と、伝熱管（図示せず）とを備えている。上記フィン６は、図１における紙面に垂直な方向に所定間隔をあけて複数配列されている。上記フィン６は、平板形状をしている。上記フィン６は、図１に矢印ａで示す鉛直方向上方が突出部になるように、くの字状に折れ曲がった断面形状をしている。
【００３９】
上記フィン６は、鉛直方向に対して傾斜している外縁を有すると共に、上記折れ曲がった部分を形成している第１部分８および第２部分９と、第２部分９の鉛直方向下方に連なる第３部分１０とを有している。図１に示すように、上記第１部分８は、第２部分９よりも風の流れの下流に位置している。また、第３部分１０は、略鉛直方向に延びている。上記第１部分８、第２部分９および第３部分１０は、略細長い矩形の断面形状を有している。
【００４０】
上記第２部分９の長手方向の風下側の縁部には、上記第２部分９の長手方向と略平行に延在するリブ１５が形成されている。この実施形態では、このように、フィン６は、矩形状の部分を有し、リブ１５は、この矩形状の部分の長手方向の外縁に沿って延在している。上記リブ１５は、フィン６の表面上に発生した結露水を鉛直方向下方まで案内して、結露水がフィン６から飛び出さないようにしている。
【００４１】
上記伝熱管は、複数配置されている。各伝熱管は、フィン６の配列方向、すなわち、板形状のフィン６の表面の略法線方向（図１における紙面に垂直な方向）に延びている。上記伝熱管は、所定間隔をあけて配列されている複数のフィン６に挿通されている。図１に示すように、上記伝熱管の挿通用の挿通穴は、第１部分８、第２部分９および第３部分１０の夫々において、２列に千鳥配置されている。
【００４２】
詳細には、上記挿通穴は、第１部分８においては、幅方向に２列、長手方向に１６列配置されており、第２部分９においては、幅方向に２列、長手方向に１２列配置されている。また、上記挿通穴は、第３部分１０においては、幅方向に２列、長手方向に８列配置されている。
【００４３】
上記第１部分８の幅方向に２列に配置されている挿通穴の列における各列は、第１部分８の長手方向の外縁と略平行になっており、第２部分９の幅方向に２列に配置されている挿通穴の列における各列は、第２部分９の長手方向の外縁と略平行になっている。また、上記第３部分１０の幅方向に２列に配置されている挿通穴の列における各列は、第３部分１０の長手方向の外縁と略平行になっている。
【００４４】
上記伝熱管の内部には、流体が流通せしめられている。この熱交換器は、伝熱管内を流通せしめられる流体と、伝熱管の外側を流通せしめられる風との間で、熱交換を行うようになっている。
【００４５】
図２は、上記フィン６の第２部分９の一部を詳細に示す図である。詳しくは、図２（Ａ）は、上記フィン６の第２部分９の部分拡大図である。また、図２（Ｂ）は、図２（Ａ）のαα線断面図の一部である。
【００４６】
図２（Ａ）,（Ｂ）において、１５は、リブを示し、２２は、フィン６に形成された伝熱管挿通用の挿通穴を示している。また、図２（Ａ）において、矢印ｂは、風の流れを示している。尚、図２（Ａ）においては、簡単のため、穴２２の内径のみを示し、穴の詳細な開口形状は省略するものとする。
【００４７】
上記リブ１５は、板状のフィン６の外縁２５に略平行に延びている。また、上記板状のフィン６は、複数の伝熱管を挿通する挿通穴２２を有している。また、上記リブ１５は、全ての挿通穴２２よりも外縁２５側に配置されている。
【００４８】
この実施形態では、図２（Ａ）,（Ｂ）に示すように、上記挿通穴２２の内径をＤ［ｍｍ］とし、リブ１５に最も近い挿通穴２２の中心と、外縁２５との距離をＬ［ｍｍ］とし、リブ１５の中心と、外縁２５との距離をＬａ［ｍｍ］としたとき、Ｌａは、以下の（１）式を満たすように設計されている。
０.４＜Ｌａ＜（Ｌ−Ｄ／２−０.５）・・・（１）
【００４９】
また、図２（Ｂ）に示すように、上記リブ１５の幅をＬＬ［ｍｍ］とし、フィン６の板厚をｔ［ｍｍ］とし、リブ１５の高さをｈ［ｍｍ］としたとき、フィン６およびリブ１５は以下の（２）式、（３）式および（４）式を満たすように設定されている。
０.１５＜ＬＬ＜０.５・・・（２）
０.０５＜ｔ＜０.１５・・・（３）
０.５ｔ＜ｈ＜２.５ｔ・・・（４）
【００５０】
上記実施形態の熱交換器によれば、上記フィン６の一部である第２部分９の風下の縁部に形成されたリブ１５が、表面張力による導水路を形成する。したがって、フィン６の表面に発生した結露水をリブ１５によって鉛直方向下方にまで案内できて、結露水がフィン６の外に飛び出すことを防止できる。
【００５１】
また、上記実施形態の熱交換器によれば、０.４＜Ｌａであるので、リブ１５の中心が、フィン６の外縁２５に近づきすぎることがなくて、フィン６の縁部やリブ１５に変形が起こることがない。また、Ｌａ＜（Ｌ−Ｄ／２−０.５）であるので、リブ２の中心が、フィン６の伝熱管挿通位置（伝熱管挿通用の挿通穴２２）に近づきすぎることがなくて、リブ１５が変形することがない。
【００５２】
したがって、フィン６の縁部が変形することを防止できて、人がフィン６の外縁で怪我をすることを防止できる。また、フィン６に形成されたリブ１５が変形することがないので、リブ２上に結露水が流下しにくい部分が発生することを防止できて、フィン６の表面に発生した結露水を、リブ２に沿って速やかに鉛直方向下方に流下させることができる。したがって、結露水の滞留によるフィン６の熱交換の通風経路の減少に伴う通風抵抗の増大を防止できるため、伝熱性能を向上できる。
【００５３】
また、上記実施形態の熱交換器によれば、０.１５＜ＬＬであるので、リブ１５の変形を更に確実に防止でき、また、ＬＬ＜０.５であるので、結露水を問題なく下方に流下させることができる。また、０.０５＜ｔであるので、フィン６の強度を問題がないものにすることができ、また、ｔ＜０.１５であるので、フィン６の集積性を大きくできて、熱交換効率を優れたものにすることができる。また、０.５ｔ＜ｈであるので、結露水を問題なく下方に流下させることができ、また、ｈ＜２.５ｔであるので、風がリブ１５に衝突して乱流等を発生することを防止できて、風の流れを円滑にすることができる。
【００５４】
また、上記実施形態の熱交換器によれば、フィン６が使用状態の冷凍装置に配置されている状態で、フィン６の外縁２５が鉛直方向に対して傾斜しているので、フィン６から飛び出し易い外縁２５付近に存在する結露水を、リブ１５を通じて確実に下方に流下させることができる。したがって、結露水がフィンから飛び出すことを確実に防止できる。
【００５５】
また、上記実施形態の熱交換器によれば、上記リブ１５がフィン６における風下側の縁部に形成されているので、フィン６上に発生した結露水が風にとばされて、フィンから飛び出すことを確実に防止できる。
【００５６】
尚、上記実施形態の熱交換器２を、空気調和機の室内機に組み込んだ場合、室内につゆ飛びが発生することを確実に防止できる。
【００５７】
また、上記挿通穴２２の内径Ｄが、７.５ｍｍ以下である場合、通風抵抗が小さいため大風量による水飛びが生じやすい運転状況におかれる。しかし、上記フィン６には、上記形状および配置のリブ１５が設けられているので、大風量による運転状況におかれたとしても、フィン１５からの水飛びを確実に防止できる。
【００５８】
尚、上記実施形態の熱交換器では、図２（Ｂ）に示すように、リブ１５を、上記（１）〜（４）式を満たすように、板状のフィン６の一方の表面２７から突出するように形成したが、この発明では、上記（１）式（好ましくは上記（１）〜（４）式）を満たす複数のリブを、板状のフィンの一方の表面から突出するように形成しても良い。また、上記（１）式（好ましくは上記（１）〜（４）式）を満たす複数のリブを、板状のフィンの両方の表面（例えば、図２（Ｂ）においては、表面２７および表面２８）から突出するように形成しても良い。
【００５９】
また、上記実施形態の熱交換器では、第２部分９の幅方向の風下側にのみ外縁２５に略平行な一のリブ１５を形成した。しかしながら、この発明では、上記（１）式（好ましくは上記（１）〜（４）式）を満たすように、第２部分の幅方向の風下側に外縁に略平行な一乃至複数のリブを設けるのみならず、第１部分の幅方向の風上側に、第１部分の外縁に略平行なリブを一乃至複数設けると共に、第１部分の幅方向の風下側に、第１部分の外縁に略平行なリブを一乃至複数設け、かつ、第３部分の幅方向の風下側に、第３部分の外縁に略平行なリブを一乃至複数設けても良い。この場合、フィン６から飛び出す結露水を確実に防止できる。
【００６０】
また、上記実施形態の熱交換器では、第２部分９に伝熱管を幅方向に２列に千鳥配置すると共に、第２部分９の風下側に一のリブを形成したが、この発明の熱交換器では、フィンの少なくとも一部分に、伝熱管を１列配置または幅方向に３列以上の複数列の千鳥配置し、かつ、このフィンの少なくとも一部分における長手方向の縁部に、上記（１）式（好ましくは上記（１）〜（４）式）を満たすリブを一乃至複数形成しても良い。
【００６１】
例えば、図３（Ａ）に示すように、フィン３０に伝熱管挿通用の穴を幅方向に一列配置すると共に、フィン３０における、矢印ｃに示す風の流れの下流側の長手方向の縁部に、この縁部の外縁に略平行な一のリブ３２を形成しても良い。また、図３（Ｂ）に示すように、フィン４０に伝熱管挿通用の穴を幅方向に一列配置すると共に、フィン４０における、矢印ｄに示す風の流れの上流側の長手方向の縁部に、この縁部の外縁に略平行な一のリブ４２を形成しても良い。また、図３（Ｃ）に示すように、フィン５０に伝熱管挿通用の穴を幅方向に一列配置すると共に、フィン５０における、矢印ｅに示す風の流れの上流側および下流側の長手方向の縁部に、これらの縁部の外縁に略平行な各一のリブ５２,５３を形成しても良い。また、図３（Ｄ）に示すように、フィン６０に伝熱管挿通用の穴を幅方向に２列に千鳥配置すると共に、フィン６０における、矢印ｆに示す風の流れの上流側および下流側の長手方向の縁部に、これら縁部の外縁に略平行な各一のリブ６２,６３を形成しても良い。
【００６２】
また、上記実施形態の熱交換器では、第２部分９の風下側の縁部の略全体にリブ１５を形成したが、この発明では、第２部分の風下側の縁部の一部分のみに、この一部分の外縁に略平行なリブを設ける等、フィンの外縁の一部のみに、この一部に略平行なリブを設けても良い。
【００６３】
また、上記実施形態の熱交換器では、フィン６が、屈曲部を形成する第１部分８および第２部分９と、第３部分１０とからなっていたが、この発明では、リブが形成されるフィンは、平形や円弧形の断面形状の一つの板から構成される等、この実施形態の形状に限らず如何なる形状であっても良い。
【００６４】
また、上記実施形態の熱交換器では、図２（Ｂ）に示すように、リブ１５が形成されている部分の裏側に、断面台形上の溝２９が形成されているが、この発明では、リブが形成されている部分の裏側に、断面Ｖ字形状または断面Ｕ字形状の溝等、断面台形上の溝以外の溝を形成しても良い。また、リブが形成されている部分の裏側に、溝を形成しなくても良い。
【００６５】
また、上記実施形態の熱交換器では、フィン６に複数の挿通穴２２を千鳥配置したが、この発明では、フィンに複数の挿通穴を格子配置する等、フィンに複数の挿通穴を千鳥配置以外の配置方法で配置しても良い。
【００６６】
また、上記実施形態の熱交換器では、フィン６には、切り起こしが形成されていなかったが、この発明の熱交換器では、フィンの一部に、例えば、コ字状の切れ目を入れて切り起こし片を設けても良い。フィンに切り起こしを形成した場合、熱交換効率が高いという利点を有する一方、切り起こしの有る所と無い所で通風抵抗のバラツキが生じて、風速分布にむらが生じて、風速の速い所で水飛びが生じようとする。しかしながら、この発明の熱交換器では、上記形状および配置のリブによって確実に水飛びを防止できる。したがって、熱交換効率を向上させることができると共に、フィンからの水飛びも確実に防止できる。
【００６７】
尚、この発明の熱交換器では、複数のフィンの全てにリブを形成しても良い。また、複数のフィンのうちの一部のみにリブを形成しても良く、リブが形成されないフィンが存在していても良い。
【００６８】
また、上記実施形態では、この発明の熱交換器を空気調和機に適用したが、この発明の熱交換器を、冷蔵庫等、空気調和機以外の冷凍装置に適用しても良いことは、勿論である。
【図面の簡単な説明】
【００６９】
【図１】本発明の一実施形態の熱交換器を用いた空気調和機の概略断面図である。
【図２】上記実施形態の熱交換器が有するフィンの一部分を詳細に示す図である。
【図３】フィンに形成されたリブの例を示す図である。
【符号の説明】
【００７０】
１  送風ファン
２  熱交換器
６,３０,４０,５０,６０  フィン
１５,３２,４２,５２,５３,６２,６３  リブ
２２  挿通穴
２５  外縁
Ｄ  挿通穴の内径
Ｌ  リブに最も近い挿通穴の中心と外縁との距離
Ｌａ  リブの中心と外縁との距離
ＬＬ  リブの幅
ｈ  リブの高さ
ｔ  フィンの板厚
【図１】
2006153327.tif 000003
【図２】
2006153327.tif 000004
【図３】
2006153327.tif 000005